(57)【要約】  洗面設備１は、鉛直方向における上向きの方向に開放され使用者の手に空気を吹きつける手乾燥部１２を有する手乾燥装置１１と、手洗いを行うための手洗い部２４を有する洗面台２１と、を有する。手乾燥装置１１は、洗面台２１の手前側から奥側に切欠かれて洗面台２１の壁面で区画された切欠部に、側面が切欠部と離間した状態で配置されている。洗面台２１は、洗面台２１の上面に平行な方向において切欠部の壁面に隣接する領域の端部に、洗面台２１の上面よりも上方へ突出する突出部２８を備える。
2018158796.tif 000002
【特許請求の範囲】
【請求項１】
鉛直方向における上向きの方向に開放され使用者の手に空気を吹きつける手乾燥部を有する手乾燥装置と、
手洗いを行うための手洗い部を有する洗面台と、
を有し、
前記手乾燥装置は、前記洗面台の手前側から奥側に切欠かれて前記洗面台の壁面で区画された切欠部に、側面が前記切欠部の壁面と離間した状態で配置されており、
前記洗面台は、前記洗面台の上面に平行な方向において前記切欠部の壁面に隣接する領域の端部に、前記洗面台の上面よりも上方へ突出する突出部を備えること、
を特徴とする洗面設備。
【請求項２】
前記突出部は、前記洗面台の上面に平行な方向において前記切欠部の壁面から離れるにしたがって高さが低くなる形状を有すること、
を特徴とする請求項１に記載の洗面設備。
【請求項３】
前記切欠部の壁面が、前記切欠部における前記手乾燥装置の側面に対向する壁面であること、
を特徴とする請求項１または２に記載の洗面設備。
【請求項４】
前記切欠部の壁面が、前記切欠部における奥側の壁面であること、
を特徴とする請求項１から３のいずれか１つに記載の洗面設備。
【請求項５】
前記突出部は、前記洗面台の上面に平行な方向において前記切欠部から離れるにしたがって高さが低くなる傾斜面が設けられていること、
を特徴とする請求項１から４のいずれか１つに記載の洗面設備。
【請求項６】
前記突出部は、前記切欠部の壁面に垂直であり鉛直方向に沿った縦断面における断面形状が、前記傾斜面を有する三角形状であること、
を特徴とする請求項５に記載の洗面設備。
【請求項７】
前記傾斜面は、前記傾斜面よりも接線の傾きが小さい曲面からなる接続面によって前記洗面台の上面と接続されていること、
を特徴とする請求項６に記載の洗面設備。
【請求項８】
前記傾斜面の下端部は、前記手洗い部の縁部に直接接続されていること、
を特徴とする請求項６に記載の洗面設備。
【請求項９】
前記手乾燥装置の上端の高さ位置が、前記洗面台の上面の高さより高く、前記突出部の上端の高さ位置以下であること、
を特徴とする請求項６に記載の洗面設備。
【請求項１０】
前記突出部は、前記洗面台とは別体で構成されていること、
を特徴とする請求項１から９のいずれか１つに記載の洗面設備。
【請求項１１】
前記手乾燥部は、前記手乾燥装置と前記手洗い部とが配列されている配列方向に開口が設けられており、
前記手乾燥装置は、前記手乾燥部の配列方向に設けられた開口が前記洗面台の前面よりも手前側に位置する配置で設置されていること、
を特徴とする請求項１から１０のいずれか１つに記載の洗面設備。
【発明の詳細な説明】
【技術分野】
【０００１】
本発明は、手洗いのための洗面台と、使用者の手に空気を吹き付けて乾燥させる手乾燥装置とを有する洗面設備に関する。
【背景技術】
【０００２】
手を衛生的な状態に保全するには、手の洗浄処置とともに、洗浄後の乾燥処置も衛生的に行われる必要がある。このために、洗浄後の濡れた手をタオルまたはハンカチで拭くのではなく、手に高速空気流を噴射して、手に付着している水を吹き飛ばして手を乾燥する手乾燥装置が用いられている。【０００３】
手乾燥装置を備えた洗面設備として、特許文献１には、洗浄処理後の手を手洗い部から手乾燥装置へスムーズに移動できるように、並べて配置された２つの手洗い部の間において洗面台の手前側から奥側に切り欠かれた切欠部に手乾燥装置が設置された洗面設備が開示されている。特許文献１に開示された洗面設備では、手乾燥装置内において手に吹き付けられた空気を排出するための排出口が手乾燥装置の側面に設けられている。そして、手乾燥装置の側面と対向する洗面台の壁面と、手乾燥装置の側面との間には、手乾燥装置の排出口から排出された空気の排出経路としての隙間が形成されている。
【先行技術文献】
【特許文献】
【０００４】
【特許文献１】特開２０１３−１５４１９５号公報
【発明の概要】
【発明が解決しようとする課題】
【０００５】
しかしながら、上記特許文献１に開示された洗面設備では、使用者が手洗い部において手洗いを行った後に濡れた手を手洗い部から手乾燥装置へ移動した際に、手から切欠部の周りの洗面台上に水滴が垂れ落ちることがある。この場合、垂れ落ちた水滴は、切欠部の周りの洗面台上に溜まり、切り欠き部の上面の角部から、手乾燥装置と切欠部との間の隙間に垂れ落ちて床面または切欠部の内部側の壁面を濡らしてしまう、という問題があった。【０００６】
本発明は、上記に鑑みてなされたものであって、洗面台上に溜まった水が手乾燥装置と洗面台との間に垂れ落ちることが防止された洗面設備を得ることを目的とする。
【課題を解決するための手段】
【０００７】
上述した課題を解決し、目的を達成するために、本発明にかかる洗面設備は、鉛直方向における上向きの方向に開放され使用者の手に空気を吹きつける手乾燥部を有する手乾燥装置と、手洗いを行うための手洗い部を有する洗面台と、を有する。手乾燥装置は、洗面台の手前側から奥側に切欠かれて洗面台の壁面で区画された切欠部に、側面が切欠部の壁面と離間した状態で配置されている。洗面台は、洗面台の上面に平行な方向において切欠部の壁面に隣接する領域の端部に、洗面台の上面よりも上方へ突出する突出部を備える。
【発明の効果】
【０００８】
本発明にかかる洗面設備は、洗面台上に溜まった水が手乾燥装置と洗面台との間に垂れ落ちることが防止された洗面設備を得ることができる、という効果を奏する。
【図面の簡単な説明】
【０００９】
【図１】本発明の実施の形態１にかかる洗面設備の斜視図
【図２】本発明の実施の形態１にかかる洗面設備の要部断面図であり、図１におけるＩＩ−ＩＩ線における要部断面図
【図３】本発明の実施の形態１にかかる洗面設備の要部拡大図であり、突出部の周辺を正面側から見た要部拡大図
【図４】本発明の実施の形態１にかかる他の突出部を備えた洗面設備を拡大して示す要部正面図
【図５】本発明の実施の形態１にかかる他の突出部を備えた洗面設備を拡大して示す要部正面図
【図６】本発明の実施の形態１にかかる他の洗面設備を拡大して示す要部正面図
【図７】本発明の実施の形態２にかかる洗面設備の斜視図
【発明を実施するための形態】
【００１０】
以下に、本発明の実施の形態にかかる洗面設備を図面に基づいて詳細に説明する。なお、この実施の形態によりこの発明が限定されるものではない。
【００１１】
実施の形態１．
図１は、本発明の実施の形態１にかかる洗面設備の斜視図である。図２は、本発明の実施の形態１にかかる洗面設備の要部断面図であり、図１におけるＩＩ−ＩＩ線における要部断面図である。図３は、本発明の実施の形態１にかかる洗面設備の要部拡大図であり、突出部の周辺を正面側から見た要部拡大図である。
【００１２】
本発明の実施の形態１にかかる洗面設備１は、上方に開放され使用者の手に空気を吹きつける手乾燥部１２を有する手乾燥装置１１と、手洗いを行うための複数の手洗い部２４を有する洗面台２１と、を備える。上方は、鉛直方向における上向きの方向である。
【００１３】
手乾燥装置１１は、図示しない水栓および手洗い部２４を利用して手を洗った使用者が、手洗い後の濡れた手を乾燥するために使用するものである。手乾燥装置１１は、外郭をなす筐体１３と、筐体１３の上部に設けられて使用者の手を乾燥させる凹状の空間である手乾燥部１２と、手乾燥部１２の下方に内蔵されて高速空気流を生成する図示しない送風機とを備える。なお、図面において送風機の図示は省略している。
【００１４】
手乾燥部１２は、使用者に対する手前側、すなわち使用者に近い側の張り出し部である第１張り出し部１４ａと、使用者に対する奥側、すなわち使用者から遠い側の張り出し部である第２張り出し部１４ｂとの間の空間である。第１張り出し部１４ａと第２張り出し部１４ｂとは、手乾燥部１２の最下部に設けられた水受け部１５に繋がっている。手乾燥部１２の幅方向における両側面は、図１に示すように開放されている。すなわち、手乾燥部１２は、上方および左右方向に開口しており、使用者が手を差し入れるための開口部である手挿入部１６が上方および左右方向に設けられている。これにより、使用者は、手乾燥部１２の上方向または手乾燥部１２の左右方向から手を自由に挿抜可能である。左右方向は、洗面設備１において手乾燥装置１１と複数の手洗い部２４が配列されている配列方向であり、図１におけるＸ方向である。手乾燥部１２内の手に吹きつけられた空気の大半は、手乾燥部１２の左右方向から排出される。
【００１５】
第１張り出し部１４ａの上部の内壁１４ａｗには、水平方向に直線状に配列された複数の第１ノズル１７ａが設けられている。また、第２張り出し部１４ｂの上部の内壁１４ｂｗには、水平方向に直線状に配列された複数の第２ノズル１７ｂが設けられている。複数の第１ノズルおよび複数の第２ノズルは、送風機から送給される空気流を手乾燥部１２内へ噴出するためのノズルである。
【００１６】
洗面台２１は、内部が収納部とされるキャビネット部２２の上部に、洗面カウンター２３と手洗い部２４とが設けられて構成されている。洗面台２１の上面、すなわち洗面カウンターの上面２３ａは、平坦面とされている。手洗い部２４は、洗面カウンター２３とバックカウンター２５とに囲まれており、洗面カウンター２３およびバックカウンター２５と一体とされている。ただし、手洗い部２４は、バックカウンター２５と関係なく、洗面ボウルが用いられてもよい。
【００１７】
また、洗面台２１には、洗面設備１の奥行き方向において手前側から奥側に凹んだ状態に切欠かれた切欠部である凹部２６が設けられている。洗面設備１の奥行き方向は、図１におけるＹ方向である。凹部２６は、洗面台２１の壁面、すなわちキャビネット部の側壁面２２ａおよび洗面カウンター２３の壁面で区画されている。
【００１８】
手乾燥装置１１は、側面が凹部の壁面２６ａと離間した状態で、図示しない取り付け部品を用いて凹部の奥側壁面２６ｂに取り付けられている。手乾燥装置の側面１１ａと、凹部２６において手乾燥装置の側面１１ａと対向する一対の凹部の側壁面２６ｃとの間には、手乾燥装置１１の手乾燥部の左右方向の開口１２ａから排出された空気の排出経路となる隙間２７が設けられている。なお、実施の形態１にかかる洗面設備１では、凹部の側壁面２６ｃのうち、洗面カウンターの側壁面２３ｂは、キャビネット部の側壁面２２ａよりも凹部２６の内部側に突出している。
【００１９】
洗面台２１は、洗面台２１の上面に平行な方向において凹部の壁面２６ａに隣接する隣接領域２３ｃの端部に、凹部２６を取り囲む形で配置された突出部２８を有する。洗面台２１の上面に平行な方向は、洗面カウンターの上面２３ａに平行な面方向である。すなわち、洗面カウンター２３における凹部の壁面２６ａに隣接する隣接領域２３ｃには、洗面カウンターの側壁面２３ｂから上方に延び、または凹部の奥側壁面２６ｂから上方に延びて洗面カウンターの上面２３ａよりも上方へ突出する突出部２８が設けられている。また、突出部２８は、洗面カウンター２３と一体で形成された一体型とされている。そして、突出部２８は、洗面台２１の上面よりも上方へ突出して、洗面台２１の上面に平行な方向において凹部の壁面２６ａから離れるにしたがって高さが低くなる形状を有する。
【００２０】
そして、突出部２８の上部における凹部２６の外部側の角部Ａは、図２および図３に示すように、凹部の側壁面２６ｃに垂直であり鉛直方向に沿った縦断面形状が、アール形状、すなわち丸みを付けた形状とされている。そして、凹部の側壁面２６ｃに垂直であり鉛直方向に沿った縦断面において、突出部の上面２８ａは、手乾燥装置の側面１１ａに対向する突出部の側面２８ｂの上端部と、９０度未満の角度で接続している。すなわち、突出部２８は、凹部２６の内部側の上部角部Ｂにおいて突出部の上面２８ａと突出部の側面２８ｂとがなす角度が、９０度未満とされている。ここでは、突出部の側面２８ｂは、鉛直方向に沿った面とされている。ただし、突出部２８は、凹部２６の内部側の上部角部Ｂにおいて突出部の上面２８ａと鉛直方向に沿った面とがなす角度が、９０度未満であればよい。
【００２１】
また、突出部２８において、角部Ａから凹部２６の外部側に延びる面は、洗面台２１の上面に平行な方向において凹部の壁面２６ａから離れるにしたがって高さが低くなる傾斜面２９とされている。また、突出部２８における凹部２６の内部側の側面、すなわち手乾燥装置の側面１１ａに対向する突出部の側面２８ｂは、洗面カウンターの側壁面２３ｂと同一平面上に設けられている。
【００２２】
洗面設備１は、上述した突出部２８を洗面カウンター２３に備えることにより、洗面台２１の上面に平行な方向において突出部２８を挟んで凹部２６と逆側に位置する、洗面カウンターの上面２３ａ上に垂れ落ちた水が突出部２８を越えて隙間２７に垂れ落ちることが防止されている。また、突出部２８は、洗面台２１の上面における凹部の壁面２６ａに隣接する領域上に垂れ落ちた水滴であって突出部２８上に垂れ落ちた水滴を、突出部２８上から洗面カウンターの上面２３ａ側に誘導することができる。
【００２３】
したがって、洗面設備１では、洗面カウンターの上面２３ａにおける凹部の壁面２６ａに隣接した領域上に溜まった水が、隙間２７から床へ垂れ落ちることがなく、隙間２７の床面に垂れた水を拭き取るという清掃作業が不要となる。
【００２４】
つぎに、上述した突出部２８が有する効果を、洗面設備１の奥行き方向と左右方向とについて説明する。具体的には、本実施の形態１にかかる洗面設備１は、洗面カウンター２３上における凹部の奥側壁面２６ｂに隣接する隣接領域２３ｄに、突出部２８が設けられている。これにより、洗面設備１では、使用者が凹部２６の奥側方向から濡れた手を手乾燥装置１１の手乾燥部１２へ移動させる際に、突出部２８よりも奥側の洗面カウンターの上面２３ａ上に垂れ落ちた水が突出部２８を越えて隙間２７に垂れ落ちることが防止されている。
【００２５】
また、洗面設備１では、濡れた手を使用者が凹部２６の奥側方向から手乾燥装置１１の手乾燥部１２へ移動させる際に、手から突出部２８上に垂れ落ちた水滴を、突出部２８によって洗面カウンターの上面２３ａ側に誘導することができる。すなわち、突出部２８上に垂れ落ちた水滴３０は、図２に示す経路３１に沿って、洗面台２１の上面に平行な方向において突出部２８を挟んで凹部の奥側壁面２６ｂと逆側に位置する、洗面カウンターの上面２３ａに流れる。したがって、洗面設備１では、手から洗面カウンター２３上における凹部の奥側壁面２６ｂに隣接する隣接領域２３ｄ上に垂れ落ちた水滴３０は、隙間２７に垂れ落ちることがない。
【００２６】
また、手乾燥装置１１の背面と凹部の奥側壁面２６ｂとが接触した状態とされていても、洗面カウンター２３上における凹部の壁面２６ａに隣接した領域上に垂れ落ちた水滴が手乾燥装置１１の背面と凹部の奥側壁面２６ｂとの間のわずかな隙間２７に入り込んで手乾燥装置１１の背面および凹部の奥側壁面２６ｂを濡らしてしまうことを防止することができる。
【００２７】
また、本実施の形態１にかかる洗面設備１は、洗面カウンター２３上における凹部の側壁面２６ｃに隣接する隣接領域２３ｅに、突出部２８が設けられている。これにより、洗面設備１では、使用者が凹部２６の横方向から濡れた手を手乾燥装置１１の手乾燥部１２へ移動させる際に、突出部２８の横に位置する洗面カウンターの上面２３ａ上に垂れ落ちた水が突出部２８を越えて隙間２７に垂れ落ちることが防止されている。
【００２８】
また、洗面設備１では、使用者が凹部２６の左右方向から濡れた手を手乾燥装置１１の手乾燥部１２へ移動させる際に、手から突出部２８上に垂れ落ちた水滴を、突出部２８によって洗面カウンターの上面２３ａ側に誘導することができる。すなわち、突出部２８上に垂れ落ちた水滴３０は、図３に示す経路３２に沿って、洗面台２１の上面に平行な方向において突出部２８を挟んで凹部の側壁面２６ｃと逆側に位置する、洗面カウンターの上面２３ａに流れる。したがって、洗面設備１では、手から洗面カウンター２３上における凹部の側壁面２６ｃに隣接する隣接領域２３ｅ上に垂れ落ちた水滴３０は、隙間２７に垂れ落ちることがない。
【００２９】
そして、突出部２８は、凹部の壁面２６ａに垂直であり鉛直方向に沿った縦断面における突出部２８の断面形状が、上述した傾斜面２９を有する三角形状とされている。これにより、突出部２８上に垂れ落ちた水滴３０が、スムーズに洗面カウンターの上面２３ａに流れる。
【００３０】
また、洗面設備１では、傾斜面２９は、隅アール形状で洗面カウンターの上面２３ａと繋がっている。すなわち、傾斜面２９は、凹部の側壁面２６ｃに垂直であり鉛直方向に沿った縦断面において、傾斜面２９よりも傾きが小さい曲線からなる接続面３３、すなわち接線の傾きが傾斜面２９の傾きよりも小さい曲面からなる接続面３３によって洗面カウンターの上面２３ａと接続されている。接続面３３は、凹部の側壁面２６ｃに垂直であり鉛直方向に沿った縦断面において全ての部分で接線の傾きが傾斜面２９の傾きよりも小さい。
【００３１】
傾斜面２９が、傾斜面２９よりも傾きが小さい曲線からなる接続面３３によって洗面カウンターの上面２３ａと接続されることで、洗面カウンターの上面２３ａを清掃する際に、突出部２８と洗面カウンターの上面２３ａとの間の隅部に水滴および汚れを残すことなく容易に拭き取ることができる。これにより、洗面カウンターの上面２３ａを容易且つ衛生的に清掃することができる。この場合、傾斜面２９と洗面カウンターの上面２３ａとを接続する接続面３３を、できるだけ大きい曲率半径を有する曲面により構成することで、接続面３３上の水滴および汚れの拭き取りがより容易になる。
【００３２】
そして、洗面カウンター２３上における凹部の奥側壁面２６ｂに隣接する隣接領域２３ｄに設けられた突出部２８と、洗面カウンター２３上における凹部の側壁面２６ｃに隣接する隣接領域２３ｅに設けられた突出部２８とは、接続されている。これにより、洗面カウンター２３における凹部２６を囲む全ての領域において上述した効果が得られる。
【００３３】
また、上記においては、突出部２８は、洗面カウンター２３と一体で形成された一体型とされているが、突出部２８は洗面カウンター２３と別体で設けられてもよい。洗面カウンター２３と別体で作製された突出部２８を洗面カウンター２３に設けた場合も、上記と同様の効果が得られる。また、洗面カウンター２３と別体で作製された突出部２８を洗面カウンター２３に設けることによって、既存の洗面設備にも突出部２８を配置することが可能となり、既存の洗面設備においても上記と同様の効果を得ることができる。
【００３４】
洗面カウンター２３と別体で構成した突出部２８を洗面カウンター２３に固定する方法は、特に限定されない。洗面カウンター２３と別体で構成された突出部２８を洗面カウンター２３に固定する方法としては、突出部の側面２８ｂと凹部の壁面２６ａとを取り付け部品を用いて接続する方法が例示される。また、突出部２８の下面と洗面カウンターの上面２３ａとを接着剤または接着シートを用いて接着することによって、洗面カウンター２３と別体で構成した突出部２８を洗面カウンター２３の上に固定することができる。
【００３５】
また、洗面設備１では、手乾燥装置１１の上端の高さ位置が突出部２８の上端の高さ位置とされ、手乾燥装置１１の上端の高さ位置は洗面カウンターの上面２３ａよりも高い位置とされている。洗面設備１では、手乾燥装置１１の上端の高さを、洗面カウンターの上面２３ａから突出部２８の上端までの距離の範囲で、洗面カウンターの上面２３ａの高さよりも高くすることができる。すなわち、洗面設備１では、手乾燥装置１１の上端の高さ位置を、洗面台２１の上面の高さ位置より高く、突出部２８の上端の高さ位置以下の位置とすることができる。これにより、洗面設備１では、突出部２８の高さを調整することにより、手乾燥装置１１の設置高さを調整することができる。
【００３６】
外観の美観または物が衝突することによる手乾燥装置１１の破損の防止といった観点から、手乾燥装置１１は洗面台２１の上面から突出させないことが好ましい。そして、手乾燥装置１１の上端の高さを洗面カウンターの上面２３ａの高さ以下にして設置する場合には、手乾燥装置１１の設置高さは洗面カウンターの上面２３ａの高さの制限を受ける。この場合は、手乾燥装置１１を快適に使用するための適切な設置高さに手乾燥装置１１を設置することができず、使用者は窮屈な姿勢で手乾燥装置１１を使用することを強いられる場合がある。
【００３７】
しかしながら、洗面設備１では、洗面カウンターの上面２３ａの高さが低い洗面設備１であっても、突出部２８の高さを調整することで、洗面台２１の上面から突出させることなく、手乾燥装置１１を快適に使用するために適した高さに手乾燥装置１１を設置することが可能となる。これにより、使用者は、窮屈な姿勢を取ることなく快適に手乾燥装置１１を使用することができる。
【００３８】
つぎに、突出部２８の形状の他の例について説明する。図４は、本発明の実施の形態１にかかる他の突出部３４を備えた洗面設備を拡大して示す要部正面図である。図４に示す突出部３４は、上述した突出部２８における傾斜面２９の部分が、洗面カウンターの上面２３ａに対して垂直な垂直部３５とされている。洗面カウンター２３に突出部３４が設けられた洗面設備１においては、突出部３４上に垂れ落ちた水滴は、突出部３４の上部において、凹部２６の外部側、すなわち洗面カウンターの上面２３ａ側に誘導され、垂直部３５を伝わって洗面カウンターの上面２３ａに流れる。したがって、洗面カウンター２３に突出部３４が設けられた洗面設備１においても、洗面カウンター２３に突出部２８が設けられた場合と同様の効果が得られる。
【００３９】
図５は、本発明の実施の形態１にかかる他の突出部３６を備えた洗面設備を拡大して示す要部正面図である。図５に示す突出部３６は、上述した突出部２８における傾斜面２９の代わりに、傾斜面２９よりも傾斜角度が小さく傾斜面２９よりもなだらかな傾斜を有する傾斜面３７が設けられている。そして、傾斜面３７の下端部は、手洗い部の縁部２４ａに直接接続されている。すなわち、凹部の壁面２６ａに垂直であり鉛直方向に沿った縦断面における突出部３６の断面形状は、洗面台２１の上面に平行な方向において凹部２６から離れるにしたがって高さが低くなる傾斜面３７を有する三角形状とされている。
【００４０】
洗面カウンター２３に突出部３６が設けられた洗面設備においては、突出部３６上に垂れ落ちた水滴は、突出部３６の上部において、凹部２６の外部側、すなわち洗面カウンターの上面２３ａ側に誘導され、傾斜面３７を伝わって直接手洗い部２４に流れる。これにより、突出部３６上に垂れ落ちた水滴が突出部３６と手洗い部２４との間に溜まることを抑制し、手洗い部２４へ排水することが可能となる。したがって、洗面カウンター２３に突出部３６が設けられた洗面設備においては、洗面カウンター２３に突出部２８が設けられた場合と同様の効果の他に、洗面台２１の清掃が容易になるという効果が得られる。
【００４１】
図６は、本発明の実施の形態１にかかる他の洗面設備を拡大して示す要部正面図である。上記においては、手乾燥装置の側面１１ａに対向する突出部の側面２８ｂが洗面カウンターの側壁面２３ｂと同一平面上にある場合について示したが、突出部の側面２８ｂは図６に示すように、洗面カウンターの側壁面２３ｂよりも手乾燥装置１１側、すなわち凹部２６の内部側にあってもよい。突出部の側面２８ｂが洗面カウンターの側壁面２３ｂよりも手乾燥装置１１側にあることにより、手乾燥装置１１の手乾燥部１２の左右方向から隙間２７に排出されて隙間２７の上方に抜ける空気の量を抑制でき、手乾燥部１２から排出された空気による使用者の不快感を低減することができる。さらに、洗面カウンター２３と別体で構成された突出部２８を用いることにより、既存の洗面設備においても、上記の効果が得られる。
【００４２】
なお、上記においては、手乾燥装置１１と、洗面設備１の長手方向において並列配置された２つの手洗い部２４の間に設けられた凹部２６に手乾燥装置１１が設置された場合について説明したが、洗面設備１の長手方向における端部の角部に設けられた凹部２６に手乾燥装置１１が設置された構成とすることも可能である。この場合も、上記の効果が得られる。
【００４３】
上述したように、本実施の形態１にかかる洗面設備１は、洗面台２１の上面に平行な方向において凹部の壁面２６ａに隣接する領域に、洗面カウンターの上面２３ａよりも上方へ突出し、洗面台２１の上面に平行な方向において凹部２６の内部側の角部から離れるにしたがって低くなる形状を有する突出部２８を備える。これにより、洗面設備１は、洗面カウンターの上面２３ａ上に垂れ落ちて洗面カウンターの上面２３ａ上に溜まった水が突出部２８を越えて隙間２７に垂れ落ちることを防止できる。
【００４４】
また、突出部２８は、突出部２８上に垂れ落ちた水滴３０を洗面カウンターの上面２３ａ側に誘導することができる。これにより、洗面設備１では、突出部２８上に垂れ落ちた水滴３０が隙間２７に垂れ落ちることを防止できる。
【００４５】
また、本実施の形態１にかかる洗面設備１によれば、手乾燥装置１１の上端の高さを、突出部２８の上端の高さ位置までの範囲で、洗面カウンターの上面２３ａよりも高くすることで洗面カウンターの上面２３ａの高さに因らず、手乾燥装置１１を快適に使用するために適した高さに違和感なく手乾燥装置１１を設置することが可能となる。
【００４６】
実施の形態２．
図７は、本発明の実施の形態２にかかる洗面設備２の斜視図である。本実施の形態２にかかる洗面設備２が、上述した実施の形態１にかかる洗面設備１と異なる点は、手乾燥装置１１の奥行き方向における一部が凹部２６外に配置されている点である。実施の形態１にかかる洗面設備１では、手乾燥装置１１は奥行き方向における全体が凹部２６内に配置されていたが、本実施の形態２にかかる洗面設備２では、奥行き方向における背面側の一部のみが凹部２６内に配置されている。
【００４７】
すなわち、手乾燥装置１１は、奥行き方向において手乾燥部の左右方向の開口１２ａが洗面台２１の前面よりも手前側に位置する配置で設置されており、手乾燥部の左右方向の開口１２ａが洗面台２１の前面よりも手前側で洗面台２１の外部に直接連通している。洗面設備２では、手乾燥部の左右方向の開口１２ａから洗面台２１の外部に空気を直接排出できるため、隙間２７の幅を上述した実施の形態１にかかる洗面設備１よりも狭くすることができる。
【００４８】
これにより、手洗い部２４を複数個設置して洗面設備を構成する場合に、隣り合う手洗い部２４の間の距離を短くして洗面設備の小型化が可能になる。一方で、隙間２７の幅が狭いため、隙間２７の床面に垂れた水を拭き取るためには、手乾燥装置１１を取り外す必要がある。
【００４９】
本実施の形態２にかかる洗面設備２では、実施の形態１にかかる洗面設備１と同様に突出部２８を備えるため、実施の形態１にかかる洗面設備１と同様の効果が得られる。そして、手乾燥装置１１を取り外して隙間２７の床面に垂れた水を拭き取るという清掃作業が不要となる。
【００５０】
したがって、本実施の形態２にかかる洗面設備２によれば、清掃作業が簡単であり、洗面設備の小型化が可能な洗面設備が得られる。
【００５１】
以上の実施の形態に示した構成は、本発明の内容の一例を示すものであり、上記の実施の形態の技術同士を組み合わせることも可能であるし、別の公知の技術と組み合わせることも可能であるし、本発明の要旨を逸脱しない範囲で、構成の一部を省略、変更することも可能である。
【符号の説明】
【００５２】
１，２  洗面設備、１１  手乾燥装置、１１ａ  手乾燥装置の側面、１２  手乾燥部、１２ａ  手乾燥部の左右方向の開口、１３  筐体、１４ａ  第１張り出し部、１４ｂ  第２張り出し部、１５  水受け部、１６  手挿入部、１７ａ  第１ノズル、１７ｂ  第２ノズル、２１  洗面台、２２  キャビネット部、２２ａ  キャビネット部の側壁面、２３  洗面カウンター、２３ａ  洗面カウンターの上面、２３ｂ  洗面カウンターの側壁面、２４  手洗い部、２４ａ  手洗い部の縁部、２５  バックカウンター、２６  凹部、２６ａ  凹部の壁面、２６ｂ  凹部の奥側壁面、２６ｃ  凹部の側壁面、２７  隙間、２８，３４，３６  突出部、２８ａ  突出部の上面、２８ｂ  突出部の側面、２９，３７  傾斜面、３０  水滴、３１，３２  経路、３３  接続面、３５  垂直部。
【図１】
2018158796.tif 000003
【図２】
2018158796.tif 000004
【図３】
2018158796.tif 000005
【図４】
2018158796.tif 000006
【図５】
2018158796.tif 000007
【図６】
2018158796.tif 000008
【図７】
2018158796.tif 000009
【国際調査報告】
2018158796.tif 000010
2018158796.tif 000011
2018158796.tif 000012
2018158796.tif 000013